(57)【特許請求の範囲】
【請求項１】
加入者局ベースのアドミッション制御のための方法において、
前記方法は、加入者局により実現され、
前記方法は、
前記加入者局によって、前記加入者局において新しい接続に対する要望があると決定することと、
前記加入者局によって、リソース利用可能性に基づいて、前記新しい接続を認めるべきか否かを決定することと、
前記リソース利用可能性に基づく、前記新しい接続を認めるべきであるとの決定に応答して、前記加入者局によって、前記新しい接続に対する要求を送ることとを含み、
前記リソース利用可能性は、送信に対して割り振られているサブフレーム当たりのスロットの平均割合または割合と、前記新しい接続に対する帯域幅要望と、リンクエアインターフェース能力と、リンクしきい値との関数である方法。
【請求項２】
前記新しい接続を認めるべきか否かを決定することは、
送信に対して割り振られている、ダウンリンクサブフレーム当たりのスロットの平均割合を決定することと、
送信に対して割り振られている、アップリンクサブフレーム当たりのスロットの平均割合を決定することとのうちの一方または両方を含む請求項１記載の方法。
【請求項３】
前記新しい接続はダウンリンク接続であり、
Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項１記載の方法。
【請求項４】
前記新しい接続はアップリンク接続であり、
Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項１記載の方法。
【請求項５】
前記新しい接続を認めるべきか否かを決定することは、
送信に対して割り振られている、現在のダウンリンクサブフレーム中のスロットの割合を決定することと、
送信に対して割り振られている、現在のアップリンクサブフレーム中のスロットの割合を決定することとのうちの一方または両方を含む請求項１記載の方法。
【請求項６】
前記新しい接続はダウンリンク接続であり、
ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項１記載の方法。
【請求項７】
前記新しい接続はアップリンク接続であり、
ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項１記載の方法。
【請求項８】
前記加入者局により送信される帯域幅要求に対する要望があると決定することと、
リソース利用可能性に基づいて、前記帯域幅要求を送信すべきか否かを決定することと、
前記帯域幅要求を送信すべきであると決定した場合に、前記帯域幅要求を送ることとをさらに含む請求項１記載の方法。
【請求項９】
Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＵＬ（ｎ）は、送信に対して割り振られている、アップリンクサブフレーム当たりのスロットの平均割合を示しており、
Ｔｈｒｅｓｈｏｌｄ＿ＵＬ＿１は、帯域幅要求しきい値を示している請求項８記載の方法。
【請求項１０】
ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している請求項８記載の方法。
【請求項１１】
前記新しい接続に対する要求を送ることは、基地局により通信されたポーリング帯域幅上で前記新しい接続に対する要求を送ることをさらに含む請求項1記載の方法。
【請求項１２】
アドミッション制御を実現するように構成されている加入者局において、
プロセッサと、
前記プロセッサと電子的に通信するメモリと、
前記メモリ中に記憶されている命令とを具備し、
前記命令は、
前記加入者局において新しい接続に対する要望があると決定するためと、
リソース利用可能性に基づいて、前記新しい接続を認めるべきか否かを決定するためと、
前記リソース利用可能性に基づく、前記新しい接続を認めるべきであるとの決定に応答して、前記新しい接続に対する要求を送るために、前記プロセッサにより実行可能であり、
前記リソース利用可能性は、送信に対して割り振られているサブフレーム当たりのスロットの平均割合または割合と、前記新しい接続に対する帯域幅要望と、リンクエアインターフェース能力と、リンクしきい値との関数である加入者局。
【請求項１３】
前記新しい接続を認めるべきか否かを決定することは、
送信に対して割り振られている、ダウンリンクサブフレーム当たりのスロットの平均割合を決定することと、
送信に対して割り振られている、アップリンクサブフレーム当たりのスロットの平均割合を決定することとのうちの一方または両方を含む請求項１２記載の加入者局。
【請求項１４】
前記新しい接続はダウンリンク接続であり、
Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項１２記載の加入者局。
【請求項１５】
前記新しい接続はアップリンク接続であり、
Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項１２記載の加入者局。
【請求項１６】
前記新しい接続を認めるべきか否かを決定することは、
送信に対して割り振られている、現在のダウンリンクサブフレーム中のスロットの割合を決定することと、
送信に対して割り振られている、現在のアップリンクサブフレーム中のスロットの割合を決定することとのうちの一方または両方を含む請求項１２記載の加入者局。
【請求項１７】
前記新しい接続はダウンリンク接続であり、
ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項１２記載の加入者局。
【請求項１８】
前記新しい接続はアップリンク接続であり、
ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項１２記載の加入者局。
【請求項１９】
前記命令はまた、
前記加入者局により送信される帯域幅要求に対する要望があると決定するためと、
リソース利用可能性に基づいて、前記帯域幅要求を送信すべきか否かを決定するためと、
前記帯域幅要求を送信すべきであると決定した場合に、前記帯域幅要求を送るために、前記プロセッサにより実行可能である請求項１２記載の加入者局。
【請求項２０】
Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＵＬ（ｎ）は、送信に対して割り振られている、アップリンクサブフレーム当たりのスロットの平均割合を示しており、
Ｔｈｒｅｓｈｏｌｄ＿ＵＬ＿１は、帯域幅要求しきい値を示している請求項１９記載の加入者局。
【請求項２１】
ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している請求項１９記載の加入者局。
【請求項２２】
前記命令は、基地局により通信されたポーリング帯域幅上で前記新しい接続に対する要求を送るために、前記プロセッサによりさらに実行可能である請求項１２記載の加入者局。
【請求項２３】
アドミッション制御を実現するように構成されている加入者局において、
前記加入者局において新しい接続に対する要望があると決定する手段と、
リソース利用可能性に基づいて、前記新しい接続を認めるべきか否かを決定する手段と、
前記リソース利用可能性に基づく、前記新しい接続を認めるべきであるとの決定に応答して、前記新しい接続に対する要求を送る手段とを具備し、
前記リソース利用可能性は、送信に対して割り振られているサブフレーム当たりのスロットの平均割合または割合と、前記新しい接続に対する帯域幅要望と、リンクエアインターフェース能力と、リンクしきい値との関数である加入者局。
【請求項２４】
前記新しい接続を認めるべきか否かを決定する手段は、
送信に対して割り振られている、ダウンリンクサブフレーム当たりのスロットの平均割合を決定する手段と、
送信に対して割り振られている、アップリンクサブフレーム当たりのスロットの平均割合を決定する手段とのうちの一方または両方を備える請求項２３記載の加入者局。
【請求項２５】
前記新しい接続はダウンリンク接続であり、
Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項２３記載の加入者局。
【請求項２６】
前記新しい接続はアップリンク接続であり、
Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項２３記載の加入者局。
【請求項２７】
前記新しい接続を認めるべきか否かを決定する手段は、
送信に対して割り振られている、現在のダウンリンクサブフレーム中のスロットの割合を決定する手段と、
送信に対して割り振られている、現在のアップリンクサブフレーム中のスロットの割合を決定する手段とのうちの一方または両方を備える請求項２３記載の加入者局。
【請求項２８】
前記新しい接続はダウンリンク接続であり、
ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項２３記載の加入者局。
【請求項２９】
前記新しい接続はアップリンク接続であり、
ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項２３記載の加入者局。
【請求項３０】
前記加入者局により送信される帯域幅要求に対する要望があると決定する手段と、
リソース利用可能性に基づいて、前記帯域幅要求を送信すべきか否かを決定する手段と、
前記帯域幅要求を送信すべきであると決定した場合に、前記帯域幅要求を送る手段とをさらに具備する請求項２３記載の加入者局。
【請求項３１】
Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＵＬ（ｎ）は、送信に対して割り振られている、アップリンクサブフレーム当たりのスロットの平均割合を示しており、
Ｔｈｒｅｓｈｏｌｄ＿ＵＬ＿１は、帯域幅要求しきい値を示している請求項３０記載の加入者局。
【請求項３２】
ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している請求項３０記載の加入者局。
【請求項３３】
前記新しい接続に対する要求を送る手段は、基地局により通信されたポーリング帯域幅上で前記新しい接続に対する要求を送る手段をさらに備える請求項２３記載の加入者局。
【請求項３４】
コンピュータ読み取り可能記憶媒体上に命令を有し、加入者局ベースのアドミッション制御を実現するためのコンピュータ読み取り可能記憶媒体において、
前記命令は、
加入者局によって、前記加入者局において新しい接続に対する要望があると決定するためのコードと、
前記加入者局によって、リソース利用可能性に基づいて、前記新しい接続を認めるべきか否かを決定するためのコードと、
前記リソース利用可能性に基づく、前記新しい接続を認めるべきであるとの決定に応答して、前記加入者局によって、前記新しい接続に対する要求を送るためのコードとを含み、
前記リソース利用可能性は、送信に対して割り振られているサブフレーム当たりのスロットの平均割合または割合と、前記新しい接続に対する帯域幅要望と、リンクエアインターフェース能力と、リンクしきい値との関数であるコンピュータ読み取り可能記憶媒体。
【請求項３５】
前記新しい接続を認めるべきか否かを決定するためのコードは、
送信に対して割り振られている、ダウンリンクサブフレーム当たりのスロットの平均割合を決定するためのコードと、
送信に対して割り振られている、アップリンクサブフレーム当たりのスロットの平均割合を決定するためのコードとのうちの一方または両方を含む請求項３４記載のコンピュータ読み取り可能記憶媒体。
【請求項３６】
前記新しい接続はダウンリンク接続であり、
Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項３４記載のコンピュータ読み取り可能記憶媒体。
【請求項３７】
前記新しい接続はアップリンク接続であり、
Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項３４記載のコンピュータ読み取り可能記憶媒体。
【請求項３８】
前記新しい接続を認めるべきか否かを決定するためのコードは、
送信に対して割り振られている、現在のダウンリンクサブフレーム中のスロットの割合を決定するためのコードと、
送信に対して割り振られている、現在のアップリンクサブフレーム中のスロットの割合を決定するためのコードとのうちの一方または両方を含む請求項３４記載のコンピュータ読み取り可能記憶媒体。
【請求項３９】
前記新しい接続はダウンリンク接続であり、
ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している請求項３４記載のコンピュータ読み取り可能記憶媒体。
【請求項４０】
前記新しい接続はアップリンク接続であり、
ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している請求項３４記載のコンピュータ読み取り可能記憶媒体。
【請求項４１】
前記加入者局により送信される帯域幅要求に対する要望があると決定するためのコードと、
リソース利用可能性に基づいて、前記帯域幅要求を送信すべきか否かを決定するためのコードと、
前記帯域幅要求を送信すべきであると決定した場合に、前記帯域幅要求を送るためのコードとをさらに含む請求項３４記載のコンピュータ読み取り可能記憶媒体。
【請求項４２】
Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＵＬ（ｎ）は、送信に対して割り振られている、アップリンクサブフレーム当たりのスロットの平均割合を示しており、
Ｔｈｒｅｓｈｏｌｄ＿ＵＬ＿１は、帯域幅要求しきい値を示している請求項４１記載のコンピュータ読み取り可能記憶媒体。
【請求項４３】
ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している請求項４１記載のコンピュータ読み取り可能記憶媒体。
【請求項４４】
前記新しい接続に対する要求を送るためのコードは、基地局により通信されたポーリング帯域幅上で前記新しい接続に対する要求を送るためのコードをさらに含む請求項３４記載のコンピュータ読み取り可能記憶媒体。
【発明の詳細な説明】
【優先権の主張】
【０００１】
本出願は、「ＷｉＭＡＸ（登録商標）無線帯域幅管理における移動体端末ベースのアドミッション制御」と題する、あらゆる目的のために参照によりここに完全に組み込まれている、２００８年２月１日に出願された、米国仮特許出願シリアル番号第６１／０２５，６６３号からの優先権の恩恵を主張するものである。
【技術分野】
【０００２】
本開示は、一般的に、ワイヤレス通信技術に関する。さらに詳細には、本開示は、加入者局ベースのアドミッション制御のための方法およびシステムに関する。
【背景】
【０００３】
ここで使用するように、用語「加入者局」は、ワイヤレス通信ネットワークを通しての音声および／またはデータ通信のために使用される電子デバイスに関連している。加入者局の例は、セルラ電話機、パーソナルデジタルアシスタント（ＰＤＡ）、ハンドヘルドデバイス、ワイヤレスモデム、ラップトップコンピュータ、パーソナルコンピュータ等を含んでいる。加入者局は、代替的に、移動局、移動体端末、アクセス端末、遠隔局、ユーザ端末、端末、加入者ユニット、ユーザ機器等として呼ばれることがある。
【０００４】
ワイヤレス通信ネットワークは、多数の加入者局に対して通信を提供する。加入者局のそれぞれは、基地局によりサービスが提供される。基地局は、代替的に、アクセスポイント、ノードＢ、または、他の何らかの用語として呼ばれることがある。
【０００５】
加入者局は、アップリンク上およびダウンリンク上の送信を通して、１つ以上の基地局と通信する。アップリンク（またはリバースリンク）は、加入者局から基地局への通信リンクに関連しており、ダウンリンク（またはフォワードリンク）は、基地局から加入者局への通信リンクに関連している。
【０００６】
ワイヤレス通信ネットワークのリソース（例えば、帯域幅および送信電力）は、複数の加入者局の間で共有される。コード分割多元接続（ＣＤＭＡ）、時分割多元接続（ＴＤＭＡ）、周波数分割多元接続（ＦＤＭＡ）、および、直交周波数分割多元接続（ＯＦＤＭＡ）を含む、さまざまな多元接続技術が知られている。
【概要】
【０００７】
加入者局ベースのアドミッション制御のための方法を開示する。方法は、加入者局において新しい接続に対する要望があると決定することを含む。方法は、リソース利用可能性に基づいて、新しい接続を認めるべきか否かを決定することも含む。方法は、新しい接続を認めるべきであると決定した場合に、新しい接続に対する要求を送ることも含む。要求は、例えば、基地局に送られてもよい。加入者局は、米国電気電子学会（ＩＥＥＥ）８０２．１６標準規格をサポートするワイヤレス通信ネットワークを通して通信するように構成されていてもよい。
【０００８】
アドミッション制御を実現するように構成されている加入者局も開示する。加入者局は、プロセッサと、プロセッサと電子的に通信するメモリと、メモリ中に記憶されている命令とを含む。命令は、加入者局において新しい接続に対する要望があると決定するために、プロセッサにより実行可能であってもよい。命令は、リソース利用可能性に基づいて、新しい接続を認めるべきか否かを決定するためにも、プロセッサにより実行可能であってもよい。命令は、新しい接続を認めるべきであると決定した場合に、新しい接続に対する要求を送るためにも、プロセッサにより実行可能であってもよい。要求は、例えば、基地局に送られてもよい。加入者局は、米国電気電子学会（ＩＥＥＥ）８０２．１６標準規格をサポートするワイヤレス通信ネットワークを通して通信するように構成されていてもよい。
【０００９】
アドミッション制御を実現するように構成されている加入者局も開示する。加入者局は、加入者局において新しい接続に対する要望があると決定する手段を含む。加入者局は、リソース利用可能性に基づいて、新しい接続を認めるべきか否かを決定する手段も含む。加入者局は、新しい接続を認めるべきであると決定した場合に、新しい接続に対する要求を送る手段も含む。要求は、例えば、基地局に送られてもよい。加入者局は、米国電気電子学会（ＩＥＥＥ）８０２．１６標準規格をサポートするワイヤレス通信ネットワークを通して通信するように構成されていてもよい。
【００１０】
加入者局ベースのアドミッション制御を実現するためのコンピュータプログラムプロダクトも開示する。コンピュータプログラムプロダクトは、コンピュータ読み取り可能媒体上に命令を有するコンピュータ読み取り可能媒体を具備する。命令は、加入者局において新しい接続に対する要望があると決定するためのコードを含む。命令は、リソース利用可能性に基づいて、新しい接続を認めるべきか否かを決定するためのコードも含む。命令は、新しい接続を認めるべきであると決定した場合に、新しい接続に対する要求を送るためのコードも含む。要求は、例えば、基地局に送られてもよい。加入者局は、米国電気電子学会（ＩＥＥＥ）８０２．１６標準規格をサポートするワイヤレス通信ネットワークを通して通信するように構成されていてもよい。
【図面の簡単な説明】
【００１１】
【図１】図１は、ワイヤレス通信ネットワークの例を図示している。
【図２】図２は、ＷｉＭＡＸネットワーク中のフレームの構造の、ある側面を示す例を図示している。
【図３】図３は、ＷｉＭＡＸネットワーク中のフレームの構造の、ある付加的な側面を示す例を図示している。
【図３Ａ】図３Ａは、基地局および加入者局により実施されるさまざまな機能の例と、基地局と加入者局との間で生じるあるタイプの通信の例とを示している。
【図４】図４は、アドミッション制御を実現するように構成されている加入者局の例を図示している。
【図５】図５は、新しい接続に関してアドミッション制御を実施するための方法の例を示している。
【図５Ａ】図５Ａは、図５の方法に対応する、ミーンズプラスファンクションのブロックを示している。
【図６】図６は、新しい帯域幅要求に関してアドミッション制御を実施するための方法の例を示している。
【図６Ａ】図６Ａは、図６の方法に対応する、ミーンズプラスファンクションのブロックを示している。
【図７】図７は、新しい接続に関してアドミッション制御を実施するための代替的な方法を示している。
【図７Ａ】図７Ａは、図７の方法に対応する、ミーンズプラスファンクションのブロックを示している。
【図８】図８は、新しい帯域幅要求に関してアドミッション制御を実施するための代替的な方法を示している。
【図８Ａ】図８Ａは、図８の方法に対応する、ミーンズプラスファンクションのブロックを示している。
【詳細な説明】
【００１２】
本開示の方法および装置を、ブロードバンドワイヤレス通信ネットワークにおいて利用してもよい。用語「ブロードバンドワイヤレス」は、所定のエリアにわたって、ワイヤレス、音声、インターネット、および／または、データのネットワークアクセスを提供する技術に関連している。
【００１３】
ブロードバンドワイヤレスアクセス標準規格に関する、米国電気電子学会（ＩＥＥＥ）８０２．１６ワーキンググループは、ブロードバンドワイヤレスメトロポリタンエリアネットワークのグローバルな展開のための公式な仕様を準備することを目的としている。８０２．１６ファミリーの標準規格は、公式には、ワイヤレスＭＡＮと呼ばれるが、ＷｉＭＡＸフォーラムと称する産業グループにより、（「ワールドワイドインターオペラビリティーフォーマイクロウェーブアクセス」を表す）「ＷｉＭＡＸ」と呼ばれている。したがって、用語「ＷｉＭＡＸ」は、長距離にわたって高スループットのブロードバンド接続を提供する、標準規格ベースのブロードバンドワイヤレス技術に関連している。ここで記述する例のうちのいくつかは、ＷｉＭＡＸ標準規格にしたがって構成されているワイヤレス通信ネットワークに関連する。しかしながら、本開示の範囲を限定するものとして、これらの例を解釈すべきではない。
【００１４】
ＷｉＭＡＸは、ＯＦＤＭ（直交周波数分割多重）技術およびＯＦＤＭＡ（直交周波数分割多元接続）技術に基づいている。ＯＦＤＭは、近年、さまざまな高データレート通信ネットワークにおいて幅広い採用が判明している、デジタルマルチ搬送波変調技術である。ＯＦＤＭを用いると、送信ビットストリームは、複数のより低いレートのサブストリームに分割される。各サブストリームは、複数の直交副搬送波のうちの１つで変調され、複数のパラレルなサブチャネルのうちの１つを介して送られる。ＯＦＤＭＡは、異なるタイムスロット中で副搬送波をユーザに割り当てる多元接続技術である。ＯＦＤＭＡは、幅広く変化するアプリケーション、データレート、および、サービス品質要件を有する多くのユーザに適応できる、柔軟な多元接続技術である。
【００１５】
図１は、ワイヤレス通信ネットワーク１００を図示している。ワイヤレス通信ネットワーク１００は、多数のセル１０２に対する通信を提供する。セルのそれぞれは、基地局１０４によりサービスが提供されている。基地局１０４は、加入者局１０６と通信する固定局であってもよい。基地局１０４は、代替的に、アクセスポイント、ノードＢ、または、他の何らかの用語として呼ばれることがある。
【００１６】
図１は、ネットワーク１００全体にわたって分散されている、さまざまな加入者局１０６を示している。加入者局１０６は、固定の（すなわち、静的）または移動性のものであってもよい。加入者局１０６は、代替的に、移動局、移動体端末、アクセス端末、遠隔局、ユーザ端末、端末、加入者ユニット、ユーザ機器等として呼ばれることがある。加入者局１０６は、セルラ電話機、パーソナルデジタルアシスタント（ＰＤＡ）、ハンドヘルドデバイス、ワイヤレスモデム、ラップトップコンピュータ、パーソナルコンピュータ等のような、ワイヤレスデバイスであってもよい。
【００１７】
ワイヤレス通信ネットワーク１００における、基地局１０４と加入者局１０６との間の送信に対して、さまざまなアルゴリズムおよび方法が使用されてもよい。例えば、信号は、直交周波数分割多元接続（ＯＦＤＭＡ）、コード分割多元接続（ＣＤＭＡ）、時分割多元接続（ＴＤＭＡ）、周波数分割多元接続（ＦＤＭＡ）等にしたがって、基地局１０４と加入者局１０６との間で送られてもよいし、受信されてもよい。
【００１８】
基地局１０４から加入者局１０６への送信を容易にする通信リンクは、ダウンリンク１０８として呼ばれ、加入者局１０６から基地局１０４への送信を容易にする通信リンクは、アップリンク１１０として呼ばれることがある。代替的に、ダウンリンク１０８は、フォワードリンクまたはフォワードチャネルとして呼ばれ、アップリンク１１０は、リバースリンクまたはリバースチャネルとして呼ばれることがある。
【００１９】
セル１０２は複数のセクター１１２に分割されてもよい。セクター１１２は、セル１０２内の物理的なカバレッジエリアである。ワイヤレス通信ネットワーク１００内の基地局１０４は、セル１０２の特定のセクター１１２内に電力フローを集中させるアンテナを利用してもよい。
【００２０】
図２は、ＷｉＭＡＸネットワーク中のフレーム２１４の構造の、ある側面を示す例を図示している。ＷｉＭＡＸネットワークにおいて、フレーム２１４は、一定長の時間間隔である。時分割二重（ＴＤＤ）動作のために、各フレーム２１４が、ダウンリンク（ＤＬ）サブフレーム２１６とアップリンク（ＵＬ）サブフレーム２１８とに分割される。ダウンリンクサブフレーム２１６は、プリアンブル２２８で始まる。
【００２１】
ＷｉＭＡＸネットワークにおいて、スロット２２４は、ユーザに帯域幅を割り振るための最小の単位である。スロット２２４は、スロット期間２２６（すなわち、ある数のシンボル２２２）にわたるサブチャネル２２０（すなわち、副搬送波２２５のグループ）である。
【００２２】
図３は、ＷｉＭＡＸネットワーク中のフレーム３１４の構造の、ある付加的な側面を示す例を図示している。フレーム３１４は、ガード間隔３４６だけ分離されている、ダウンリンクサブフレーム３１６とアップリンクサブフレーム３１８とを含んでいる。フレーム３１４は、Ｌ個のサブチャネル３２０にわたって送信される。フレーム３１４中には、合計Ｍ個のシンボル３２２があり、ダウンリンクサブフレーム３１６中には、Ｎ個のシンボル３２２があり、アップリンクサブフレーム３１８中には、Ｍ−Ｎ個のシンボルがある。
【００２３】
ダウンリンクサブフレーム３１６は、プリアンブル３２８を含んでいる。プリアンブル３２８は、時間および周波数同期化ならびに初期チャネル推定のような、物理レイヤ手順のために使用される。ダウンリンクサブフレーム３１６は、フレーム制御ヘッダー（ＦＣＨ）３３０も含んでいる。ＦＣＨ３３０は、ＭＡＰメッセージ長、変調およびコーディングスキーム、ならびに、使用できる副搬送波２２５のような、フレーム３１４構成情報を提供する。
【００２４】
複数のユーザには、フレーム３１４内にデータ領域が割り振られ、これらの割り振りは、ダウンリンクＭＡＰメッセージ３３２およびアップリンクＭＡＰメッセージ３３６中で指定される。ＭＡＰメッセージ３３２、３３６は、各ユーザに対するバーストプロファイルを含んでいてもよい。各ユーザに対するバーストプロファイルは、使用する変調およびコーディングスキームを規定する。
【００２５】
ダウンリンクサブフレーム３１６は、複数のダウンリンクバースト３３４ａ〜ｈも含んでいてもよい。第１のダウンリンクバースト３３４ａは、典型的に、アップリンクＭＡＰメッセージ３３６である。ダウンリンクバースト３３４ａ〜ｈは、サイズおよびタイプが変化してもよく、数名のユーザに対してデータを伝えることができる。
【００２６】
アップリンクサブフレーム３１８は、異なるユーザからのものかもしれない複数のアップリンクバースト３３８ａ〜ｄを含んでいてもよい。アップリンクサブフレームは、レンジングチャネル３４２も含んでいてもよい。レンジングチャネル３４２を使用して、ネットワークに入る間だけでなく、その後も周期的に、閉ループの周波数、時間、および、電力の調整を行ってもよい。レンジングチャネル３４２はまた、アップリンク帯域幅を要求するために、加入者局１０６により使用されてもよい。
【００２７】
アップリンクサブフレーム３１８は、基地局１０４におけるスケジューラにより使用することができるチャネル品質情報をフィードバックするために、加入者局１０６に対するチャネル品質インジケータチャネル（ＣＱＩＣＨ）３４４も含んでいる。ＣＱＩＣＨ３４４は、高速フィードバックチャネル３４４として呼ばれることもある。アップリンクサブフレーム３１８は、ハイブリッド自動反復要求（ＨＡＲＱ）肯定応答（ＡＣＫ）チャネル３４０も含んでいる。ハイブリッド自動反復要求（ＨＡＲＱ）肯定応答（ＡＣＫ）チャネル３４０は、ダウンリンク肯定応答をフィードバックするために、加入者局１０６により使用されてもよい。
【００２８】
図３Ａは、基地局３０４Ａと加入者局３０６Ａとにより実施されるさまざまな機能の例を図示している。図３Ａは、基地局３０４Ａと加入者局３０６Ａとの間で生じる、あるタイプの通信の例も図示している。
【００２９】
基地局３０４Ａは、加入者局３０６Ａにポーリング帯域幅を割り振る３０２Ａ。ポーリング帯域幅は、基地局３０４Ａに帯域幅要求３０８Ａを送るために、加入者局３０６Ａにより使用される帯域幅である。基地局３０４Ａは、ポーリング帯域幅割り振り３１０Ａを加入者局３０６Ａに通信する。例えば、基地局３０４Ａは、ＵＬ−ＭＡＰ３３６において、加入者局３０６Ａの基本接続識別子（ＣＩＤ）を示してもよい。
【００３０】
加入者局３０６Ａは、ポーリング帯域幅割り振り３１０Ａを利用するが、ポーリング帯域幅割り振り３１０Ａを超えないように、帯域幅要求３０８Ａを送信する１つ以上の接続を選択する３１２Ａ。その後、加入者局３０６Ａは、１つ以上の帯域幅要求３０８Ａを基地局３０４Ａに送信する。
【００３１】
受信した帯域幅要求３０８Ａに基づいて、基地局３０４Ａは、アップリンク帯域幅の１つ以上の認可３１４Ａを加入者局３０６Ａに提供する。加入者局３０６Ａは、受信した認可３１４Ａにしたがって、基地局３０４Ａにデータ３１６Ａを送信する。
【００３２】
図４は、アドミッション制御を実現するように構成されている加入者局４０６の例を図示している。加入者局４０６は、プロセッサ４４８を含んでいる。プロセッサ４４８は、汎用単一チップマイクロプロセッサまたは汎用マルチチップマイクロプロセッサ（例えば、ＡＲＭ）、特殊目的マイクロプロセッサ（例えば、デジタル信号プロセッサ（ＤＳＰ））、マイクロ制御装置、プログラマブルゲートアレイ等であってもよい。プロセッサ４４８は、中央処理ユニット（ＣＰＵ）として呼ばれることがある。図４の加入者局４０６中では、単一のプロセッサ４４８のみを示しているが、代替的な構成では、プロセッサ４４８を組み合わせたもの（例えば、ＡＲＭおよびＤＳＰ）を使用することができる。
【００３３】
加入者局４０６は、メモリ４５０も含んでいる。メモリ４５０は、電子的な情報を記憶可能である何らかの電子的なコンポーネントであってもよい。メモリ４５０は、ランダムアクセスメモリ（ＲＡＭ）、リードオンリーメモリ（ＲＯＭ）、磁気ディスク記憶媒体、光記憶媒体、ＲＡＭ中のフラッシュメモリデバイス、プロセッサに含まれる搭載メモリ、ＥＰＲＯＭメモリ、ＥＥＰＲＯＭメモリ、レジスタ等、および、これらを組み合わせたものとして、具現化されてもよい。
【００３４】
命令４６４およびデータ４６２は、メモリ４５０中に記憶されていてもよい。命令４６４は、下記で記述するさまざまな機能を実現するために、プロセッサ４４８により実行可能であってもよい。命令４６４を実行することは、メモリ４５０中に記憶されているデータ４６２の使用を含んでいてもよい。
【００３５】
加入者局４０６は、加入者局４０６と基地局１０４との間のデータの送受信を可能にする、送信機４５４および受信機４５６も含んでいてもよい。送信機４５４および受信機４５６は、総称してトランシーバ４５２として呼ばれることがある。アンテナ４５８は、トランシーバ４５２に電気的に結合されていてもよい。加入者局４０６はまた、（示していない）複数の送信機４５４、複数の受信機４５６、複数のトランシーバ４５２、および／または、複数のアンテナ４５８を含んでいてもよい。
【００３６】
加入者局４０６のさまざまなコンポーネントは、１つ以上のバスにより互いに結合されていてもよい。１つ以上のバスは、電力バス、制御信号バス、ステータス信号バス、データバス等を含んでいてもよい。明確にする目的で、バスシステム４６０として、図４においてさまざまなバスを図示している。
【００３７】
加入者局４０６は、ＩＥＥＥ８０２．１６標準規格（すなわち、ＷｉＭＡＸ）をサポートするワイヤレス通信ネットワークを通して通信するように構成されていてもよい。メモリ４５０中に記憶されている命令４６４は、ＩＥＥＥ８０２．１６標準規格にしたがった通信を容易にする命令４６６を含んでいてもよい。同様に、メモリ４５０中に記憶されているデータ４６２は、ＩＥＥＥ８０２．１６標準規格にしたがった通信を容易にするデータ４６８を含んでいてもよい。
【００３８】
メモリ４５０中のデータ４６２は、加入者局４０６により現在維持されているアクティブな接続４７０についての情報を含んでいてもよい。接続４７０について維持されている情報は、さまざまな接続４７０のデータ配信のサービスタイプ４７２および（ダウンリンク１０８またはアップリンク１１０のいずれかの）方向４７３を含んでいてもよい。以下の伝送接続に対するデータ配信サービスタイプ４７２が、ＩＥＥＥ８０２．１６標準規格中に規定されている。ＵＧＳ（非送信請求認可サービス）、ＥＲＴ−ＶＲ（拡張リアルタイム可変レート）、ＲＴ−ＶＲ（リアルタイム可変レート）、ＮＲＴ−ＶＲ（非リアルタイム可変レート）、および、ＢＥ（ベストエフォート）である。
【００３９】
非送信請求認可サービスは、一定のビットレートにおいて固定サイズのデータパケットをサポートするように設計されている。リアルタイム可変レートは、リアルタイムサービスフロー（例えば、ストリーミングビデオ）をサポートするように設計されている。非リアルタイム可変レートは、最低保証レートにおいて可変サイズのデータ認可を要求する、遅延許容のあるデータストリーム（例えば、ＦＴＰ）をサポートするように設計されている。ベストエフォートサービスは、最低サービスレベル保証を要求しないデータストリーム（例えば、ウェブブラウジング）をサポートするように設計されている。拡張リアルタイム可変レートは、可変のデータレートを有するが、保証されたデータレートおよび遅延を要求する、リアルタイム適用（例えば、無音抑制を持つボイスオーバーＩＰ）をサポートするように設計されている。
【００４０】
メモリ４５０中のデータ４６２は、送信に対して割り振られている、現在のダウンリンクサブフレーム２１６中のスロット２２４の割合を示すパラメータ４７４を含んでいてもよい。このパラメータ４７４は、ここでは、ｐ＿ＤＬ（ｎ）４７４として呼ばれることがある。ここで、ｎは、現在のダウンリンクサブフレーム２１６を示している。このパラメータｐ＿ＤＬ（ｎ）４７４は、ＤＬ−ＭＡＰメッセージ３３２を読み取ることにより決定してもよい。
【００４１】
メモリ４５０中のデータ４６２は、送信に対して割り振られている、ダウンリンクサブフレーム２１６当たりのスロット２２４の平均割合を示すパラメータ４７６も含んでいてもよい。このパラメータ４７６は、ここでは、Ａｐ＿ＤＬ（ｎ）４７６として呼ばれることがある。Ａｐ＿ＤＬ（ｎ）４７６は、次のように決定することができる。
【数１】
0005547353.tif 000002
【００４２】
項ａは、指数平均ファクター４７７である。指数平均ファクター４７７は、現在のダウンリンクサブフレーム２１６またはアップリンクサブフレーム２１８を、以前のダウンリンクサブフレーム２１６またはアップリンクサブフレーム２１８に対して重み付けすべき程度に依存する。指数平均ファクター４７７は、加入者局４０６が移動性のものであるか、または、静的なものであるか、（加入者局４０６が移動性のものである場合に、）加入者局４０６がどれくらい速く動くか等に依存する。指数平均ファクター４７７は、メモリ４５０中に記憶されているデータ４６２内に含まれていてもよい。
【００４３】
上記の例では、現在のダウンリンクサブフレーム２１６（ｎ）中の、送信に対して割り振られているスロット２２４の割合と、以前のダウンリンクサブフレーム２１６（ｎ−１）のスロットの平均割合とに基づいて、Ａｐ＿ＤＬ（ｎ）４７６を決定している。しかしながら、２つより多いダウンリンクサブフレーム２１６中の、送信に対して割り振られているスロット２２４の割合に基づいて、Ａｐ＿ＤＬ（ｎ）４７６を決定してもよい。このケースでは、メモリ４５０中のデータ４６２は、複数の以前のダウンリンクサブフレーム２１６（例えば、ｎ、ｎ−１、ｎ−２、ｎ−３．．．等）中の、送信に対して割り振られているスロット２２４の割合を示す付加的なパラメータ４７４を記憶していてもよい。一般的な公式Ａｐ＿ＤＬ（ｎ）４７６は、次のように決定することができる。
【数１ａ】
0005547353.tif 000003
【００４４】
メモリ４５０中のデータ４６２は、さまざまなデータ配信サービスタイプ４７２の接続４７０に対するダウンリンク帯域幅要望を示すＱｏＳパラメータ４７８も含んでいてもよい。これらの帯域幅関連ＱｏＳパラメータ４７８は、ＢＷ＿ＤＬ４７８として呼ばれることがある。ＵＧＳデータ配信タイプ４７２に対するＢＷ＿ＤＬ４７８ａは、最大連続トラフィックレートに等しくてもよい。ＲＴ−ＶＲデータ配信タイプ４７２に対するＢＷ＿ＤＬ４７８ｂも、最大連続トラフィックレートに等しくてもよい。ＥＲＴ−ＶＲデータ配信タイプ４７２に対するＢＷ＿ＤＬ４７８ｃも、最大連続トラフィックレートに等しくてもよい。ＮＲＴ−ＶＲデータ配信タイプ４７２に対するＢＷ＿ＤＬ４７８ｄは、最小予約トラフィックレートに等しくてもよい。ＢＥデータ配信タイプ４７２に対するＢＷ＿ＤＬ４７８ｅは、帯域幅を予約する必要性がないため、０に等しくてもよい。
【００４５】
最大連続トラフィックレートおよび最小予約トラフィックレートは、加入者局４０６中に提供されているＱｏＳパラメータである。接続４７０をセットアップするときに、上位レイヤは、（ダウンリンク１０８またはアップリンク１１０のいずれかの）方向、データ配信サービスタイプ（ＵＧＳ、ＲＴ−ＶＲ、ＥＲＴ−ＶＲ、ＮＲＴ−ＶＲ、または、ＢＥ）、ＱｏＳパラメータ等のような、接続４７０の属性を、ＷｉＭＡＸプロトコルレイヤに示すことができる。
【００４６】
メモリ４５０中のデータ４６２は、ダウンリンクエアインターフェース能力を示すパラメータ４８０も含んでいてもよい。このパラメータ４８０は、Ｃ＿ＤＬ４８０として呼ばれることがある。Ｃ＿ＤＬ４８０は、加入者局４０６中に予め提供されていてもよい。
【００４７】
メモリ４５０中のデータ４６２は、新しい接続４７０を認めるべきか否かを決定する際に使用される、ダウンリンク１０８に対応するしきい値を示すパラメータ４８２も含んでいてもよい。このパラメータ４８２は、Ｔｈｒｅｓｈｏｌｄ＿ＤＬ４８２として呼ばれることがある。Ｔｈｒｅｓｈｏｌｄ＿ＤＬ４８２は、加入者局４０６中に予め提供されていてもよい。
【００４８】
メモリ４５０中のデータ４６２は、送信に対して割り振られている、現在のアップリンクサブフレーム２１８中のスロット２２４の割合を示すパラメータ４８６も含んでいてもよい。このパラメータ４８６は、ここでは、ｐ＿ＵＬ（ｎ）４８６として呼ばれることがある。ここで、ｎは、現在のアップリンクサブフレーム２１８を示している。このパラメータｐ＿ＵＬ（ｎ）４８６は、ＵＬ−ＭＡＰメッセージ３３６を読み取ることにより決定してもよい。
【００４９】
メモリ４５０中のデータ４６２は、送信に対して割り振られている、アップリンクサブフレーム２１８当たりのスロット２２４の平均割合を示すパラメータ４８８も含んでいてもよい。このパラメータ４８８は、ここでは、Ａｐ＿ＵＬ（ｎ）４８８として呼ばれることがある。Ａｐ＿ＵＬ（ｎ）４８８は、次のように決定することができる。
【数２】
0005547353.tif 000004
【００５０】
項ａは、指数平均ファクター４７７である。上記の例では、現在のアップリンクサブフレーム２１８（ｎ）中の、送信に対して割り振られているスロット２２４の割合と、以前のアップリンクサブフレーム２１８（ｎ−１）のスロットの平均割合とに基づいて、Ａｐ＿ＵＬ（ｎ）４８８を決定している。しかしながら、２つより多いアップリンクサブフレーム２１８中の、送信に対して割り振られているスロット２２４の割合に基づいて、Ａｐ＿ＵＬ（ｎ）４８８を決定してもよい。このケースでは、メモリ４５０中のデータ４６２は、複数の以前のアップリンクサブフレーム２１８（例えば、ｎ、ｎ−１、ｎ−２、ｎ−３．．．等）中の、送信に対して割り振られているスロット２２４の割合を示す付加的なパラメータ４８６を記憶していてもよい。一般的な公式Ａｐ＿ＵＬ（ｎ）４８８は、次のように決定することができる。
【数２ａ】
0005547353.tif 000005
【００５１】
メモリ４５０中のデータ４６２は、さまざまなデータ配信サービスタイプ４７２の接続４７０に対するアップリンク帯域幅要望を示すパラメータ４９０も含んでいてもよい。これらのパラメータ４９０は、ＢＷ＿ＵＬ４９０として呼ばれることがある。ＵＧＳタイプ４７２に対するＢＷ＿ＵＬ４９０ａは、最大連続トラフィックレートに等しくてもよい。ＲＴ−ＶＲタイプ４７２に対するＢＷ＿ＵＬ４９０ｂも、最大連続トラフィックレートに等しくてもよい。ＥＲＴ−ＶＲタイプ４７２に対するＢＷ＿ＵＬ４９０ｃも、最大連続トラフィックレートに等しくてもよい。ＮＲＴ−ＶＲタイプ４７２に対するＢＷ＿ＵＬ４９０ｄは、最小予約トラフィックレートに等しくてもよい。ＢＥタイプ４７２に対するＢＷ＿ＵＬ４９０ｅは、帯域幅を予約する必要性がないため、０に等しくてもよい。
【００５２】
メモリ４５０中のデータ４６２は、アップリンクエアインターフェース能力を示すパラメータ４９２も含んでいてもよい。このパラメータ４９２は、Ｃ＿ＵＬ４９２として呼ばれることがある。Ｃ＿ＵＬ４９２は、加入者局４０６中に予め提供されていてもよい。
【００５３】
メモリ４５０中のデータ４６２は、新しい接続４７０を認めるべきか否かを決定する際に使用される、アップリンク１１０に対応するしきい値を示すパラメータ４９４も含んでいてもよい。このパラメータ４９４は、Ｔｈｒｅｓｈｏｌｄ＿ＵＬ４９４として呼ばれることがある。Ｔｈｒｅｓｈｏｌｄ＿ＵＬ４９４は、加入者局４０６に予め提供されていてもよい。
【００５４】
メモリ４５０中のデータ４６２は、新しい帯域幅要求３０８Ａを送信すべきか否かを決定する際に使用される、アップリンク１１０に対応するしきい値を示すパラメータ４９６も含んでいてもよい。このパラメータ４９６は、Ｔｈｒｅｓｈｏｌｄ＿ＵＬ＿１ ４９６として呼ばれることがある。Ｔｈｒｅｓｈｏｌｄ＿ＵＬ＿１ ４９６は、加入者局４０６に予め提供されていてもよい。
【００５５】
メモリ４５０中の命令４６４は、新しい接続４７０に関するアドミッション制御を実施するための命令４９８を含んでいてもよい。メモリ４５０中の命令４６４は、帯域幅要求３０８Ａに関するアドミッション制御を実施するための命令４９９も含んでいてもよい。
【００５６】
図５は、新しい接続４７０に関するアドミッション制御を実施するための方法５００の例を示している。加入者局４０６は、表されている方法５００を実現する。例えば、加入者局４０６のプロセッサ４４８は、加入者局４０６のメモリ４５０中に記憶されている接続アドミッション制御命令４９８を実行して、表されている方法５００を実現してもよい。
【００５７】
方法５００は、加入者局４０６上のアクティビティを監視すること５０２を含んでいてもよい。新しいダウンリンク接続４７０に対する要望があると決定した５０４場合に、方法５００は、送信に対して割り振られている、ダウンリンクサブフレーム２１６当たりのスロット２２４の平均割合（すなわち、Ａｐ＿ＤＬ（ｎ）４７６）を決定すること５０６を含んでいてもよい。方法５００は、新しい接続４７０に対するダウンリンク帯域幅要望（すなわち、ＢＷ＿ＤＬ４７８）を決定すること５０８も含んでいてもよい。方法５００は、ダウンリンクエアインターフェース能力（すなわち、Ｃ＿ＤＬ４８０）を決定すること５１０も含んでいてもよい。
【００５８】
方法５００は、以下の式の値を決定すること５１２も含んでいてもよい。
【数３】
0005547353.tif 000006
【００５９】
その後、方程式（３）の値をダウンリンクしきい値（Ｔｈｒｅｓｈｏｌｄ＿ＤＬ）４８２と比較してもよい。方程式（３）の値が、Ｔｈｒｅｓｈｏｌｄ＿ＤＬ４８２より小さいと決定した５１４場合には、新しい接続４７０を認めるべきであり、この新しい接続をセットアップするために、基地局１０４に要求が送られる５１６。しかしながら、方程式（３）の値が、Ｔｈｒｅｓｈｏｌｄ＿ＤＬ４８２より小さくないと決定した５１４場合には、新しい接続４７０を認めるべきでないことを決定する５１８。
【００６０】
方法５００は、新しいアップリンク接続４７０に対する要望があると決定すること５２２を含んでいてもよい。新しいアップリンク接続４７０に対する要望があると決定した５２２場合に、方法５００は、送信に対して割り振られている、アップリンクサブフレーム２１８当たりのスロット２２４の平均割合（すなわち、Ａｐ＿ＵＬ（ｎ）４８８）を決定すること５２４を含んでいてもよい。方法５００は、新しい接続４７０に対するアップリンク帯域幅要望（すなわち、ＢＷ＿ＵＬ４９０）を決定すること５２６も含んでいてもよい。方法５００は、アップリンクエアインターフェース能力（すなわち、Ｃ＿ＵＬ４９２）を決定すること５２８も含んでいてもよい。
【００６１】
方法５００は、以下の式の値を決定すること５３０も含んでいてもよい。
【数４】
0005547353.tif 000007
【００６２】
その後、方程式（４）の値をアップリンクしきい値（Ｔｈｒｅｓｈｏｌｄ＿ＵＬ）４９４と比較してもよい。方程式（４）の値が、Ｔｈｒｅｓｈｏｌｄ＿ＵＬ４９４より小さいと決定した５３２場合には、新しい接続４７０を認めるべきであり、この新しい接続をセットアップするために、基地局１０４に要求が送られる５１６。しかしながら、方程式（４）の値が、Ｔｈｒｅｓｈｏｌｄ＿ＵＬ４９４より小さくないと決定した５３２場合には、新しい接続４７０を認めるべきでないことを決定する５１８。
【００６３】
したがって、図５は、加入者局４０６がどのようにして、リソース利用可能性に基づいて、新しい接続４７０を認めるべきか否かを決定するかという例を示している。この状況では、用語リソース利用可能性は、ワイヤレス通信ネットワーク１００のリソースが利用されている程度に関連している。例えば、ワイヤレス通信ネットワーク１００の輻輳のレベルである。
【００６４】
上記で記述した図５の方法５００を、図５Ａで示しているミーンズプラスファンクションのブロック５００Ａに対応する、さまざまなハードウェアおよび／またはソフトウェアのコンポーネントおよび／またはモジュールにより実施してもよい。言い換えると、図５で示したブロック５０２ないし５３２は、図５Ａで示しているミーンズプラスファンクションのブロック５０２Ａないし５３２Ａに対応している。
【００６５】
図６は、新しい帯域幅要求３０８Ａに関するアドミッション制御を実施するための方法６００を示している。加入者局４０６は、表されている方法６００を実現する。例えば、加入者局４０６のプロセッサ４４８は、加入者局４０６のメモリ４５０中に記憶されている帯域幅要求アドミッション制御命令４９９を実行して、表されている方法６００を実現してもよい。
【００６６】
方法６００は、加入者局４０６上のアクティビティを監視すること６０２を含んでいてもよい。新しい帯域幅要求３０８Ａに対する要望があると決定した６０４場合に、方法６００は、送信に対して割り振られている、アップリンクサブフレーム２１８当たりのスロット２２４の平均割合（すなわち、Ａｐ＿ＵＬ（ｎ）４８８）を決定すること６０６を含んでいてもよい。その後、Ａｐ＿ＵＬ（ｎ）４８８の値を帯域幅要求しきい値（すなわち、Ｔｈｒｅｓｈｏｌｄ＿ＵＬ＿１ ４９６）と比較してもよい。Ａｐ＿ＵＬ（ｎ）４８８が、Ｔｈｒｅｓｈｏｌｄ＿ＵＬ＿１ ４９６より大きいと決定した６０８場合には、帯域幅要求３０８Ａを送信すべきでないことを決定する６１０。しかしながら、Ａｐ＿ＵＬ（ｎ）４８８がＴｈｒｅｓｈｏｌｄ＿ＵＬ＿１ ４９６より小さいと決定した６０８場合には、帯域幅要求３０８Ａを送信すべきであることを決定し、基地局１０４に帯域幅要求３０８Ａが送信される６１２。
【００６７】
したがって、図６は、加入者局４０６がどのようにして、リソース利用可能性に基づいて、帯域幅要求３０８Ａを認めるべきか否かを決定するかという例を示している。上記で示したように、用語リソース利用可能性は、ワイヤレス通信ネットワーク１００のリソースが利用されている程度に関連している。例えば、ワイヤレス通信ネットワーク１００の輻輳のレベルである。上記で記述した図６の方法６００を、図６Ａで示しているミーンズプラスファンクションのブロック６００Ａに対応する、さまざまなハードウェアおよび／またはソフトウェアのコンポーネントおよび／またはモジュールにより実施してもよい。言い換えると、図６で示したブロック６０２ないし６１２は、図６Ａで示しているミーンズプラスファンクションのブロック６０２Ａないし６１２Ａに対応している。
【００６８】
図７は、新しい接続４７０に関するアドミッション制御を実施するための代替的な方法７００を示している。加入者局４０６は、表されている方法７００を実現する。例えば、加入者局４０６のプロセッサ４４８は、加入者局４０６のメモリ４５０中に記憶されている接続アドミッション制御命令４９８を実行して、表されている方法７００を実現してもよい。
【００６９】
方法７００は、加入者局４０６上のアクティビティを監視すること７０２を含んでいてもよい。新しいダウンリンク接続４７０に対する要望があると決定した７０４場合に、方法７００は、送信に対して割り振られている、現在のダウンリンクサブフレーム２１６中のスロット２２４の割合（すなわち、ｐ＿ＤＬ（ｎ）４７４）を決定すること７０６を含んでいてもよい。方法７００は、新しい接続４７０に対するダウンリンク帯域幅要望（すなわち、ＢＷ＿ＤＬ４７８）を決定すること７０８も含んでいてもよい。方法７００は、ダウンリンクエアインターフェース能力（すなわち、Ｃ＿ＤＬ４８０）を決定すること７１０も含んでいてもよい。
【００７０】
方法７００は、以下の式の値を決定すること７１２も含んでいてもよい。
【数５】
0005547353.tif 000008
【００７１】
その後、方程式（５）の値をダウンリンクしきい値（Ｔｈｒｅｓｈｏｌｄ＿ＤＬ）４８２と比較してもよい。方程式（５）の値が、Ｔｈｒｅｓｈｏｌｄ＿ＤＬ４８２より小さいと決定した７１４場合には、新しい接続４７０を認めるべきであり、この新しい接続７１６をセットアップするために、基地局１０４に要求が送られる７１６。しかしながら、方程式（５）の値が、Ｔｈｒｅｓｈｏｌｄ＿ＤＬ４８２より小さくないと決定した７１４場合には、新しい接続４７０を認めるべきでないことを決定する７１８。
【００７２】
方法７００は、新しいアップリンク接続４７０に対する要望があると決定すること７２２を含んでいてもよい。新しいアップリンク接続４７０に対する要望があると決定した７２２場合に、方法７００は、送信に対して割り振られている、現在のアップリンクサブフレーム２１８中のスロット２２４の割合（すなわち、ｐ＿ＵＬ（ｎ）４８６）を決定すること７２４を含んでいてもよい。方法７００は、新しい接続４７０に対するアップリンク帯域幅要望（すなわち、ＢＷ＿ＵＬ４９０）を決定すること７２６も含んでいてもよい。方法７００は、アップリンクエアインターフェース能力（すなわち、Ｃ＿ＵＬ４９２）を決定すること７２８も含んでいてもよい。
【００７３】
方法７００は、以下の式の値を決定すること７３０も含んでいてもよい。
【数６】
0005547353.tif 000009
【００７４】
その後、方程式（６）の値をアップリンクしきい値（Ｔｈｒｅｓｈｏｌｄ＿ＵＬ）４９４と比較してもよい。方程式（６）の値が、Ｔｈｒｅｓｈｏｌｄ＿ＵＬ４９４より小さいと決定した７３２場合には、新しい接続４７０を認めるべきであり、この新しい接続をセットアップするために、基地局１０４に要求が送られる７１６。しかしながら、方程式（６）の値が、Ｔｈｒｅｓｈｏｌｄ＿ＵＬ４９４より小さくないと決定した７３２場合には、新しい接続４７０を認めるべきでないことを決定する７１８。
【００７５】
したがって、図７は、加入者局４０６がどのようにして、リソース利用可能性に基づいて、新しい接続４７０を認めるべきか否かを決定するかという別の例を示している。上記で示したように、用語リソース利用可能性は、ワイヤレス通信ネットワーク１００のリソースが利用されている程度に関連している。例えば、ワイヤレス通信ネットワーク１００の輻輳のレベルである。上記で記述した図７の方法７００を、図７Ａで示しているミーンズプラスファンクションのブロック７００Ａに対応する、さまざまなハードウェアおよび／またはソフトウェアのコンポーネントおよび／またはモジュールにより実施してもよい。言い換えると、図７で示したブロック７０２ないし７３２は、図７Ａで示しているミーンズプラスファンクションのブロック７０２Ａないし７３２Ａに対応している。
【００７６】
図８は、新しい帯域幅要求３０８Ａに関するアドミッション制御を実施するための代替的な方法８００を示している。加入者局４０６は、表されている方法８００を実現する。例えば、加入者局４０６のプロセッサ４４８は、加入者局４０６のメモリ４５０中に記憶されている帯域幅要求アドミッション制御命令４９９を実行して、表されている方法８００を実現してもよい。
【００７７】
方法８００は、加入者局４０６上のアクティビティを監視すること８０２を含んでいてもよい。新しい帯域幅要求３０８Ａに対する要望があると決定した８０４場合に、方法８００は、送信に対して割り振られている、現在のアップリンクサブフレーム２１８中のスロット２２４の割合（すなわち、ｐ＿ＵＬ（ｎ）４８６）を決定すること８０６も含んでいてもよい。その後、ｐ＿ＵＬ（ｎ）４８６の値を帯域幅要求しきい値（すなわち、Ｔｈｒｅｓｈｏｌｄ＿ＵＬ＿１ ４９６）と比較してもよい。ｐ＿ＵＬ（ｎ）４８６が、Ｔｈｒｅｓｈｏｌｄ＿ＵＬ＿１ ４９６より大きいと決定した８０８場合には、帯域幅要求３０８Ａを送信すべきでないことを決定する８１０。しかしながら、ｐ＿ＵＬ（ｎ）４８６がＴｈｒｅｓｈｏｌｄ＿ＵＬ＿１ ４９６より小さいと決定した８０８場合には、帯域幅要求３０８Ａを送信すべきであることを決定し、基地局１０４に帯域幅要求３０８Ａが送信される８１２。
【００７８】
したがって、図８は、加入者局４０６がどのようにして、リソース利用可能性に基づいて、帯域幅要求３０８Ａを認めるべきか否かを決定するかという別の例を示している。上記で示したように、用語リソース利用可能性は、ワイヤレス通信ネットワーク１００のリソースが利用されている程度に関連している。例えば、ワイヤレス通信ネットワーク１００の輻輳のレベルである。上記で記述した図８の方法８００を、図８Ａで示しているミーンズプラスファンクションのブロック８００Ａに対応する、さまざまなハードウェアおよび／またはソフトウェアのコンポーネントおよび／またはモジュールにより実施してもよい。言い換えると、図８で示したブロック８０２ないし８１２は、図８Ａで示しているミーンズプラスファンクションのブロック８０２Ａないし８１２Ａに対応している。
【００７９】
ここで使用したように、用語「決定する」は、幅広いさまざまな動作を含んでいる。それゆえ、「決定する」は、算出する、計算する、処理する、導出する、調べる、検索する（例えば、表、データベース、または、別のデータ構造中において検索する）、確認する、および、これらに類するものを含むことができる。同様に、「決定する」は、受信する（例えば、情報を受信する）、アクセスする（例えば、メモリ中のデータにアクセスする）、および、これらに類するものを含むことができる。「決定する」は、解決する、選択する、選ぶ、確立する、および、これらに類するものを含むことができる。
【００８０】
フレーズ「に基づいて」は、明確に指定されていない限り、「のみに基づいて」を意味しない。言い換えると、フレーズ「に基づいて」は、「のみに基づいて」と「に少なくとも基づいて」との双方を記述している。ここで使用したように、用語「コード」および「命令」は、いずれのタイプのコンピュータ読み取り可能ステートメントも含むように、広く解釈されるべきである。例えば、用語「コード」および「命令」は、１つ以上のプログラム、ルーチン、サブルーチン、機能、手順等に関連していてもよい。
【００８１】
本開示に関連して記述した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブルロジックデバイス、ディスクリートゲートまたはトランジスタロジック、ディスクリートハードウェアコンポーネント、あるいは、ここで記述した機能を実施するように設計されているこれらの任意の組み合わせで、実現または実施されてもよい。汎用プロセッサはマイクロプロセッサであってもよいが、代替的に、プロセッサは、何らかの市販のプロセッサ、制御装置、マイクロ制御装置、または、状態機械であってもよい。プロセッサはまた、コンピューティングデバイスの組み合わせとして、例えば、ＤＳＰとマイクロプロセッサとの組み合わせ、複数のマイクロプロセッサ、ＤＳＰコアを備えた１つ以上のマイクロプロセッサ、あるいは、このようなコンフィギュレーションの他の何らかのものとして実現されてもよい。
【００８２】
本開示に関連して記述した方法またはアルゴリズムのステップは、ハードウェアで、プロセッサにより実行されるソフトウェアモジュールで、あるいは、２つを組み合わせたもので、直接的に具現化してもよい。ソフトウェアモジュールは、技術的に知られている何らかの形態の記憶媒体中に存在していてもよい。使用される記憶媒体のうちのいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ等を含んでいる。ソフトウェアモジュールは、単一の命令または多くの命令を含んでおり、複数の異なるコードセグメントを介して、異なるプログラム間で、および、複数の記憶媒体にわたって、配布されてもよい。記憶媒体は、プロセッサが記憶媒体から情報を読み取り、記憶媒体に情報を書き込むことができるように、プロセッサに結合されていてもよい。代替実施形態では、記憶媒体はプロセッサに一体化していてもよい。
【００８３】
ここで開示した方法は、記述した方法を達成するための１つ以上のステップまたはアクションを含んでいる。方法ステップおよび／またはアクションは、特許請求の範囲から逸脱することなく、相互に入れ替えることができる。言い換えると、ステップまたはアクションの特定の順序が明記されていないなら、特許請求の範囲から逸脱することなく、特定のステップおよび／またはアクションの順序および／または使用を改良することができる。
【００８４】
記述した機能は、ハードウェアで、ソフトウェアで、ファームウェアで、または、これらの何らかの組み合わせで実現されてもよい。ソフトウェアで実現された場合、機能は、命令またコードとして、あるいは、１つ以上の組の命令またはコードとして、コンピュータ読み取り可能媒体上、記憶媒体上、あるいは、コンピュータプログラムプロダクト上に記憶されてもよい。コンピュータ読み取り可能媒体は、コンピュータまたは１つ以上の処理デバイスによりアクセスすることができる何らかの利用可能な媒体であってもよい。一例として、コンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含むことができるが、これらに限定されるものではない。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。
【００８５】
ソフトウェアまたは命令は、送信媒体を介しても送信されてもよい。例えば、同軸ケーブル、光ファイバケーブル、撚り対、デジタル加入者回線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、および、マイクロ波のようなワイヤレス技術は、送信媒体の定義に含まれる。
【００８６】
さらに、図５、６、７、および８により示した方法および技術のような、ここで記述した方法および技術を実施するためのモジュールおよび／または他の適切な手段が、適用可能なものとして、加入者局および／または基地局によりダウンロードできるか、および／または、そうでなければ、加入者局および／または基地局により取得できることを理解すべきである。例えば、ここで記述した方法を実施するための手段の伝送を容易にするために、このようなデバイスをサーバに結合することができる。代替的には、記憶装置手段（例えば、ランダムアクセスメモリ（ＲＡＭ）、リードオンリーメモリ（ＲＯＭ）、コンパクトディスク（ＣＤ）またはフロッピーディスクのような物理的な記憶媒体等）を介して、ここで記述したさまざまな方法を提供できる。これにより、記憶装置手段をデバイスに結合すると、または、記憶装置手段をデバイスに提供すると、加入者局および／または基地局が、さまざまな方法を取得できる。さらに、ここで記述した方法および技術をデバイスに提供するための他の何らかの適切な技術を利用できる。
【００８７】
特許請求の範囲は、上記で示したまさにそのコンフィギュレーションおよびコンポーネントに限定されるものではないことが理解される。さまざまな改良、変更、および、バリエーションが、ここで記述したシステム、方法あるいは装置の構成、運用、および、詳細において、特許請求の範囲から逸脱することなく行われてもよい。
以下に、本願出願の当初の特許請求の範囲に記載された発明を付記する。
［１］加入者局ベースのアドミッション制御のための方法において、
前記方法は、加入者局により実現され、
前記方法は、
前記加入者局において新しい接続に対する要望があると決定することと、
リソース利用可能性に基づいて、前記新しい接続を認めるべきか否かを決定することと、
前記新しい接続を認めるべきであると決定した場合に、前記新しい接続に対する要求を送ることとを含む方法。
［２］前記新しい接続を認めるべきか否かを決定することは、
送信に対して割り振られている、ダウンリンクサブフレーム当たりのスロットの平均割合を決定することと、
送信に対して割り振られている、アップリンクフレーム当たりのスロットの平均割合を決定することとのうちの少なくとも１つを含む［１］記載の方法。
［３］Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［１］記載の方法。
［４］Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［１］記載の方法。
［５］前記新しい接続を認めるべきか否かを決定することは、
送信に対して割り振られている、現在のダウンリンクサブフレーム中のスロットの割合を決定することと、
送信に対して割り振られている、現在のアップリンクサブフレーム中のスロットの割合を決定することとのうちの少なくとも１つを含む［１］記載の方法。
［６］ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［１］記載の方法。
［７］ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［１］記載の方法。
［８］前記加入者局により送信される帯域幅要求に対する要望があると決定することと、
リソース利用可能性に基づいて、前記帯域幅要求を送信すべきか否かを決定することと、
前記帯域幅要求を送信すべきであると決定した場合に、前記帯域幅要求を送ることとをさらに含む［１］記載の方法。
［９］Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＤＬ（ｎ）は、送信に対して割り振られている、ダウンリンクサブフレーム当たりのスロットの平均割合を示しており、
Ｔｈｒｅｓｈｏｌｄ＿ＵＬ＿１は、帯域幅要求しきい値を示している［８］記載の方法。
［１０］ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している［８］記載の方法。
［１１］アドミッション制御を実現するように構成されている加入者局において、
プロセッサと、
前記プロセッサと電子的に通信するメモリと、
前記メモリ中に記憶されている命令とを具備し、
前記命令は、
前記加入者局において新しい接続に対する要望があると決定するためと、
リソース利用可能性に基づいて、前記新しい接続を認めるべきか否かを決定するためと、
前記新しい接続を認めるべきであると決定した場合に、前記新しい接続に対する要求を送るために、前記プロセッサにより実行可能である加入者局。
［１２］前記新しい接続を認めるべきか否かを決定することは、
送信に対して割り振られている、ダウンリンクサブフレーム当たりのスロットの平均割合を決定することと、
送信に対して割り振られている、アップリンクフレーム当たりのスロットの平均割合を決定することとのうちの少なくとも１つを含む［１１］記載の加入者局。
［１３］Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［１１］記載の加入者局。
［１４］Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［１１］記載の加入者局。
［１５］前記新しい接続を認めるべきか否かを決定することは、
送信に対して割り振られている、現在のダウンリンクサブフレーム中のスロットの割合を決定することと、
送信に対して割り振られている、現在のアップリンクサブフレーム中のスロットの割合を決定することとのうちの少なくとも１つを含む［１１］記載の加入者局。
［１６］ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［１１］記載の加入者局。
［１７］ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［１１］記載の加入者局。
［１８］前記命令はまた、
前記加入者局により送信される帯域幅要求に対する要望があると決定するためと、
リソース利用可能性に基づいて、前記帯域幅要求を送信すべきか否かを決定するためと、
前記帯域幅要求を送信すべきであると決定した場合に、前記帯域幅要求を送るために、前記プロセッサにより実行可能である［１１］記載の加入者局。
［１９］Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＤＬ（ｎ）は、送信に対して割り振られている、ダウンリンクサブフレーム当たりのスロットの平均割合を示しており、
Ｔｈｒｅｓｈｏｌｄ＿ＵＬ＿１は、帯域幅要求しきい値を示している［１８］記載の加入者局。
［２０］ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している［１８］記載の加入者局。
［２１］アドミッション制御を実現するように構成されている加入者局において、
前記加入者局において新しい接続に対する要望があると決定する手段と、
リソース利用可能性に基づいて、前記新しい接続を認めるべきか否かを決定する手段と、
前記新しい接続を認めるべきであると決定した場合に、前記新しい接続に対する要求を送る手段とを具備する加入者局。
［２２］前記新しい接続を認めるべきか否かを決定する手段は、
送信に対して割り振られている、ダウンリンクサブフレーム当たりのスロットの平均割合を決定する手段と、
送信に対して割り振られている、アップリンクフレーム当たりのスロットの平均割合を決定する手段とのうちの少なくとも１つを備える［２１］記載の加入者局。
［２３］Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［２１］記載の加入者局。
［２４］Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［２１］記載の加入者局。
［２５］前記新しい接続を認めるべきか否かを決定する手段は、
送信に対して割り振られている、現在のダウンリンクサブフレーム中のスロットの割合を決定する手段と、
送信に対して割り振られている、現在のアップリンクサブフレーム中のスロットの割合を決定する手段とのうちの少なくとも１つを備える［２１］記載の加入者局。
［２６］ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［２１］記載の加入者局。
［２７］ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［２１］記載の加入者局。
［２８］前記加入者局により送信される帯域幅要求に対する要望があると決定する手段と、
リソース利用可能性に基づいて、前記帯域幅要求を送信すべきか否かを決定する手段と、
前記帯域幅要求を送信すべきであると決定した場合に、前記帯域幅要求を送る手段とをさらに具備する［２１］記載の加入者局。
［２９］Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＤＬ（ｎ）は、送信に対して割り振られている、ダウンリンクサブフレーム当たりのスロットの平均割合を示しており、
Ｔｈｒｅｓｈｏｌｄ＿ＵＬ＿１は、帯域幅要求しきい値を示している［２８］記載の加入者局。
［３０］ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している［２８］記載の加入者局。
［３１］加入者局ベースのアドミッション制御を実現するためのコンピュータプログラムプロダクトにおいて、
前記コンピュータプログラムプロダクトは、コンピュータ読み取り可能媒体上に命令を有するコンピュータ読み取り可能媒体を具備し、
前記命令は、
前記加入者局において新しい接続に対する要望があると決定するためのコードと、
リソース利用可能性に基づいて、前記新しい接続を認めるべきか否かを決定するためのコードと、
前記新しい接続を認めるべきであると決定した場合に、前記新しい接続に対する要求を送るためのコードとを含むコンピュータプログラムプロダクト。
［３２］前記新しい接続を認めるべきか否かを決定するためのコードは、
送信に対して割り振られている、ダウンリンクサブフレーム当たりのスロットの平均割合を決定するためのコードと、
送信に対して割り振られている、アップリンクフレーム当たりのスロットの平均割合を決定するためのコードとのうちの少なくとも１つを含む［３１］記載のコンピュータプログラムプロダクト。
［３３］Ａｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
Ａｐ＿ＤＬ（ｎ）は、送信に対して割り振られている、ダウンリンクサブフレーム当たりのスロットの平均割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［３１］記載のコンピュータプログラムプロダクト。
［３４］Ａｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
Ａｐ＿ＵＬ（ｎ）は、送信に対して割り振られている、アップリンクサブフレーム当たりのスロットの平均割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［３１］記載のコンピュータプログラムプロダクト。
［３５］前記新しい接続を認めるべきか否かを決定するためのコードは、
送信に対して割り振られている、現在のダウンリンクサブフレーム中のスロットの割合を決定するためのコードと、
送信に対して割り振られている、現在のアップリンクサブフレーム中のスロットの割合を決定するためのコードとのうちの少なくとも１つを含む［３１］記載のコンピュータプログラムプロダクト。
［３６］ｐ＿ＤＬ（ｎ）＋ＢＷ＿ＤＬ／Ｃ＿ＤＬ＜Ｔｈｒｅｓｈｏｌｄ＿ＤＬである場合に、新しいダウンリンク接続を認めるべきであると決定し、
ｐ＿ＤＬ（ｎ）は、送信に対して割り振られている、現在のダウンリンクサブフレーム中のスロットの割合を示しており、
ＢＷ＿ＤＬは、前記新しいダウンリンク接続に対するダウンリンク帯域幅要望を示しており、
Ｃ＿ＤＬは、ダウンリンクエアインターフェース能力を示しており、
Ｔｈｒｅｓｈｏｌｄ＿ＤＬは、ダウンリンクしきい値を示している［３１］記載のコンピュータプログラムプロダクト。
［３７］ｐ＿ＵＬ（ｎ）＋ＢＷ＿ＵＬ／Ｃ＿ＵＬ＜Ｔｈｒｅｓｈｏｌｄ＿ＵＬである場合に、新しいアップリンク接続を認めるべきであると決定し、
ｐ＿ＵＬ（ｎ）は、送信に対して割り振られている、現在のアップリンクサブフレーム中のスロットの割合を示しており、
ＢＷ＿ＵＬは、前記新しいアップリンク接続に対するアップリンク帯域幅要望を示しており、
Ｃ＿ＵＬは、アップリンクエアインターフェース能力を示しており、
Ｔｈｒｅｓｈｏｌｄ＿ＵＬは、アップリンクしきい値を示している［３１］記載のコンピュータプログラムプロダクト。
［３８］前記加入者局により送信される帯域幅要求に対する要望があると決定するためのコードと、
リソース利用可能性に基づいて、前記帯域幅要求を送信すべきか否かを決定するためのコードと、
前記帯域幅要求を送信すべきであると決定した場合に、前記帯域幅要求を送るためのコードとをさらに含む［３１］記載のコンピュータプログラムプロダクト。
［３９］Ａｐ＿ＵＬ（ｎ）＜Ｔｈｒｅｓｈｏｌｄ＿ＵＬ＿１である場合に、前記帯域幅要求を送信すべきであると決定し、
Ａｐ＿ＤＬ（ｎ）は、送信に対して割り振られている、ダウンリンクサブフレーム当たりのスロットの平均割合を示しており、
Ｔｈｒｅｓｈｏｌｄ＿ＵＬ＿１は、帯域幅要求しきい値を示している［３８］記載のコンピュータプログラムプロダクト。
［４０］ｐ＿ＵＬ（ｎ）＜Ｔｈｒｅｓｈｏｌｄ＿ＵＬ＿１である場合に、前記帯域幅要求を送信すべきであると決定し、
ｐ＿ＵＬ（ｎ）は、送信に対して割り振られている、現在のアップリンクサブフレーム中のスロットの割合を示しており、
Ｔｈｒｅｓｈｏｌｄ＿ＵＬ＿１は、帯域幅要求しきい値を示している［３８］記載のコンピュータプログラムプロダクト。
【要約】  加入者局ベースのアドミッション制御のための方法は、加入者局において新しい接続に対する要望があると決定することを含んでいてもよい。方法は、リソース利用可能性に基づいて、新しい接続を認めるべきか否かを決定することも含んでいてもよい。方法は、新しい接続を認めるべきであると決定した場合に、新しい接続に対する要求を基地局に送ることも含んでいてもよい。
【選択図】    図５【図１】
0005547353.tif 000010
【図２】
0005547353.tif 000011
【図３】
0005547353.tif 000012
【図３Ａ】
0005547353.tif 000013
【図４】
0005547353.tif 000014
【図５】
0005547353.tif 000015
【図５Ａ】
0005547353.tif 000016
【図６】
0005547353.tif 000017
【図６Ａ】
0005547353.tif 000018
【図７】
0005547353.tif 000019
【図７Ａ】
0005547353.tif 000020
【図８】
0005547353.tif 000021
【図８Ａ】
0005547353.tif 000022